(57)【特許請求の範囲】
【請求項１】
側面にスピーカーと表面に操作部とを有する携帯デバイスを載置して使用する携帯デバイス用スタンド型スピーカーであって、
上板と下板を有し、上板と下板の間を複数の中芯と仕切板とで交互に仕切ったハニカム構造を有する本体と、
前記本体の表面に、前記携帯デバイスをその操作部を操作可能に露出させて載置し、かつ前記携帯デバイスの側面のスピーカーが前記ハニカム構造に近接する位置に来るように前記携帯デバイスを載置するデバイス収納部と、
前記スピーカーが連通する側の前記ハニカム構造を有する本体表面に、前記ハニカム構造を形成した空間を介して、かつ前記スピーカーに連通する放音口を有することを特徴とする携帯デバイス用スタンド型スピーカー。
【請求項２】
前記スピーカーから出る音を、前記ハニカム構造を導音させることで、電源の供給を受けることなく前記スピーカーの出力機能を実現することを特徴とする、請求項１に記載の携帯デバイス用スタンド型スピーカー。
【発明の詳細な説明】
【技術分野】
【０００１】  本発明は、携帯デバイス用スタンド型スピーカーで、特に携帯デバイスから出る音を中空構造と積層構造の効果を利用して増幅する機能を有する携帯デバイス用スタンド型スピーカーに関する。
【背景技術】
【０００２】  昨今、携帯デバイスの普及が進み、携帯キャリア各社から多くの機種のスマートフォンが発売されている。これらスマートフォンは、デジタル音楽プレイヤー機能と動画を視聴できる機能も備えており、イヤフォンやヘッドフォンを使用しなくても音楽や映像を視聴できるように側面にスピーカーを備えたものがある。【０００３】  従来、携帯デバイスを載置し、そのスピーカーから出る音を増幅する機能を持つ携帯デバイス用のスタンド型スピーカーがある。これらのスタンド型スピーカーは、立方体に近い形状を有するものが多く、持ち運ぶことを想定していないため携行に不便である。【０００４】  また、携帯デバイスのスピーカーから出る音を増幅する際に内蔵アンプを使用するため、電源の供給が必須である。【０００５】  これらのスタンド型スピーカーの上記の欠点を補う発明として、特許文献１に掲載のものがある。この携帯端末用スタンドは、平滑な紙を折り込んで筒状にすることでホーン形状を形成し、その上面部に携帯端末を載置し、携帯端末下部にあるスピーカーから出る音をスタンドの内部構造により増幅させてスタンドのホーン部から出すものである。【０００６】  しかしながら、次に列挙する欠点がある。携帯端末のスピーカーから出る音が携帯端末用スタンドのホーン部のみからしか出ないために、音の増幅効果に限界がある。【０００７】  また、携帯端末のスピーカーが携帯端末用スタンドのホーン部に内接する位置からホーン部の放音口まで数センチの距離があるため、携帯端末のスピーカーから出る音がその距離を通る間に音の方向が一定方向に限定される。また、ホーン部が正面を向いているために、ホーン部から放出される音の方向が限定される。【０００８】  また、凹凸のある外形形状であるために携行に適していない。【０００９】  また、組み立てないと使用できない。携行しやすくするためには、折りたたみ構造である本体を解体して平面にし、使用する際に再び組み立てるという工程が必須である。【００１０】  また、スタンドに携帯端末の下端のみを挿嵌して載置するため、不安定である。【００１１】  従って、スタンドの立設方向が限定され、机上など地面に対して水平かつ平らな面の上にしか設置できないため、使用できる場所が限定される。【００１２】  従って、載置する携帯端末の立設方向も限定され、携帯端末の画面を縦長にしか見ることが出来ない。【００１３】  また、載置した携帯端末前面の操作ボタンを覆う構造であるため、その操作を妨げる。
【先行技術文献】
【特許文献】
【００１４】
【特許文献１】  実登３１８７５４９号公報
【発明の概要】
【発明が解決しようとする課題】
【００１５】  本発明は、以上のような従来の欠点に鑑み、携帯デバイス（例えばスマートフォン）のスピーカーから出る音を、放音口から放出するだけでなく本体全体を共鳴させることにより増幅させることを特長とする。【００１６】  また、携帯デバイスのスピーカーから出る音を、ホーン部だけでなく本体全体を共鳴させることにより増幅させるため、音の方向を限定しないことを特長とする。【００１７】  また、携行に適した平板な形状を有することを特長とする。【００１８】  また、組み立て工程が不要であるため、使用したい場面ですぐに使用できることを特長とする。【００１９】  また、携帯デバイス全体を収納するため、安定して載置できることを特長とする。【００２０】  従って、本体の立設方向を限定しないため、使用できる場所が限定されず、載置した携帯デバイスの画面が地面に対して平行になるように設置しても、垂直になる方向に起伏させて設置しても使用できることを特長とする。【００２１】  従って、携帯デバイスを載置した本体を、携帯デバイスの画面を正面にして左右方向に９０度横転させることが可能であるため、動画を視聴する場合などに携帯デバイスの画面を横長にして視聴することができることを特長とする。【００２２】  また、携帯デバイス前面の操作ボタンを露出させて載置できる構造であるため、その操作を妨げないことを特長とする。【００２３】  本発明の前記ならびにそのほかの目的と新規な特長は次の説明を添付図面と照らし合わせて読むとより完全に明らかになるであろう。
ただし、図面はもっぱら解説のためのものであって、本発明の記述的範囲を限定するものではない。
【課題を解決するための手段】
【００２４】以上のような課題を解決するために、本発明は、側面にスピーカーと表面に操作部とを有する携帯デバイスを載置して使用するものであって、上板と下板と、その間を複数の中芯と仕切板とで交互に仕切った中空構造と積層構造を有する平板な形状からなる本体と、その表面に、携帯デバイスをその操作部を操作可能に露出させて載置し、かつ携帯デバイスをその側面のスピーカーが本体の中空構造と積層構造に接する位置に来るように載置するデバイス収納部と、携帯デバイスのスピーカーが本体の中空構造と積層構造に接する側の本体表面に、外部に連通する複数の放音口を有することを特長とする。【００２５】  携帯デバイス側面のスピーカーから出る音を、本体の中空構造および積層構造を通行させることで、通気性・通風性により増幅させ、振動伝導性により共鳴させることにより、電源の供給を受けることなく機能することが可能であることを特長とする。【００２６】  積層構造と中空構造を併せ持ち、音の流れを一方向のみに通行させることのできる素材で形成される。
【発明の効果】
【００２７】  以上の説明から明らかなように、本発明にあっては次に列挙する効果が得られる。携帯デバイスのスピーカーと携帯デバイス用スタンド型スピーカーの放音口とをつなぐ音の経路が上板と下板と複数の中芯と仕切板とで囲まれた狭窄空間であることにより、携帯デバイスのスピーカーから出る音を拡散させることなく通過させる構造であるため、音を効果的に増幅できる。【００２８】  また、携帯デバイスから出る音が前記経路を通る際に、本体の、上板と下板とを複数の中芯と仕切板とで仕切られた中空構造と積層構造の振動伝導性により増幅され、放音口以外からも音響効果を得ることができ、音の増幅と音質向上ができる。【００２９】  しかも、携帯デバイスのスピーカーから出る音を、ホーン部だけでなく本体全体を共鳴させることにより増幅させるため、音の方向が限定されない。【００３０】  さらに、前記構造による効果を利用するため、電源の供給が不要である。【００３１】  しかも、上板および下板と複数の中芯および仕切板とのみで形成された平板な形状であるため、従って持ち運びが簡易であり、携行の利便性が高い。【００３２】  しかも、一体型の完成形であるため、組み立て工程が不要である。【００３３】  しかも、携帯デバイス全体を載置できる収納部を設けることにより、携帯デバイスを安定して載置することができる。【００３４】  従って、立設方向を限定しないため、使用できる場所が限定されない。机上など地面に対して水平かつ平らな面の上以外の、例えば屋外において地面に対して水平でない面や平滑でない面の上に設置したり、載置した携帯デバイスの画面が地面に対して垂直になる方向に起伏させて使用することができる。【００３５】  従って、載置した携帯デバイスの画面が縦長、横長いずれの方向になるようにしても使用することができ、動画を視聴する場合など利便性が高い。【００３６】  しかも、携帯デバイス全体を載置できる収納部を設けることにより、その前面を完全に露出させて載置できる構造であるため、その前面にある操作ボタンを覆うことがなく、操作を妨げない。【００３７】  また、携帯デバイスのサイズ変更に適応して、本体および収納部のサイズ変更を簡易に行うことができる。従って、汎用性が高く量産に適している。【００３８】  さらに、素材として紙（特に好適は段ボール）を使用することができる。紙であればリサイクル可能であり、地球環境に配慮することができる。【００３９】  また、従来の木材、金属を素材として作成したものと比べて軽量である。【００４０】  また、従来の木材、金属を素材として作成したものと比べて加工しやすく、従って安価で提供できる。
【図面の簡単な説明】
【００４１】
【図１】  携帯デバイス用スタンド型スピーカーの斜視図である。（実施例１）
【図２】  携帯デバイス用スタンド型スピーカーに携帯デバイスを載置した拡大縦断面図である。（実施例１）
【図３】  携帯デバイス用スタンド型スピーカーの斜視図である。（実施例１）
【図４】  携帯デバイス用スタンド型スピーカーに携帯デバイスを載置した拡大縦断面図である。（実施例１）
【図５】  携帯デバイス用スタンド型スピーカーの斜視図である。（実施例１）
【図６】  携帯デバイス用スタンド型スピーカーに携帯デバイスを載置した拡大縦断面図である。（実施例１）
【図７】  携帯デバイス用スタンド型スピーカーに携帯デバイスを載置した正面図である。（実施例２）
【図８】  携帯デバイス用スタンド型スピーカーに携帯デバイスを載置した縦断面図である。（実施例２）
【図９】  携帯デバイス用スタンド型スピーカーに携帯デバイスを載置した平面図である。（実施例２）
【図１０】  携帯デバイス用スタンド型スピーカーに携帯デバイスを載置した平面図である。（実施例３）
【図１１】  携帯デバイス用スタンド型スピーカーに携帯デバイスを載置した平面図である。（実施例３）
【図１２】  音圧レベルを縦軸に取り、１／３オクターブバンドの中心周波数を横軸に取った、無音室において携帯デバイスと測定器を同距離に設置し、携帯デバイスを本発明の携帯デバイス用スタンド型スピーカーに載置した場合と、無載置の場合のホワイトノイズの測定結果を示したグラフである。
【図１３】  音圧レベルを縦軸に取り、１／３オクターブバンドの中心周波数を横軸に取った、無音室において携帯デバイスと測定器を同距離に設置し、携帯デバイスを本発明の携帯デバイス用スタンド型スピーカーに載置した場合と、無載置の場合のピンクノイズの測定結果を示したグラフである。
【図１４】  図１２の測定結果を基に、増幅率を縦軸に取り、１／３オクターブバンドの中心周波数を横軸に取った、無載置に対する載置した場合のホワイトノイズの増幅率を示したグラフである。
【図１５】  図１２の測定結果を基に、増幅率を縦軸に取り、１／３オクターブバンドの中心周波数を横軸に取った、無載置に対する載置した場合のピンクノイズの増幅率を示したグラフである。
【発明を実施するための形態】
【００４２】  本発明に載置する携帯デバイスは、スマートフォンおよびスマートフォンと同様の位置にスピーカーを有する携帯オーディオプレイヤーである。
【００４３】  以下の説明において、前面、背面とは、携帯デバイスを載置した際の携帯デバイスの画面側を前とする前、後を意味し、上下とは、携帯デバイスの立設支持方向の上下を意味する。
【００４４】  図１ないし図２の本発明を実施するための第一の形態において、１は携帯デバイス用スタンド型スピーカーで、上板２と下板３と、その間を複数の中芯４と仕切板５とを交互に貼合することで中空構造と積層構造を形成している。携帯デバイス７を載置した際、そのスピーカー９と本体１とが対面して接する側の下端は開放され、スピーカー９から出る音の通路が貫通している構造となっている。
【００４５】  また、貼合する中芯４と仕切板５の数は、音の拡張の効果が得られなくなる厚さまで重ねて貼合することが可能である。
【００４６】  ６はデバイス収納部で、上板２と中芯４および仕切板５に設けられた携帯デバイス７を安定させて収納するためのものである。デバイス収納部６は、携帯デバイス７をその操作部１３を操作可能に露出させて載置し、かつその側面にあるスピーカー９が本体１の中空構造の方向１０と垂直に対面して接する位置に載置する形状にくり抜かれている。また、デバイス収納部６は、下板３までは貫通せず、載置した携帯デバイス７は下板３によって保持される。
【００４７】  ８はデバイス取出し窪みで、デバイス収納部６の一部分に設けられた、携帯デバイス７を（指で）着脱しやすくするためのものである。デバイス取出し窪み８は、携帯デバイス７のスピーカー９が本体１と接する点以外の位置に設ける構造となっている。
【００４８】  １１は放音口で、携帯デバイス７のスピーカー９から出る音を、本体１の中空構造と積層構造を通過させて外へ出すためのものである。放音口１１の位置は、携帯デバイス７のスピーカー９が本体１に接する側に、中空構造の方向１０に対して垂直、すなわち積層の方向１２に対して平行に設けられ、深さは少なくとも携帯デバイス７のスピーカー９が本体１と接する位置まで連通している。形状はどのようなものでもよい。個数は１個以上複数個である。
【００４９】  上記の構造により、上板２と中芯４と仕切板５と下板３とで形成される風路の振動伝導性および通気性・通風性により、携帯デバイス７から出る音が共鳴して増幅される。構造による効果を利用しているため、電源の供給を受けることなく機能することが可能である。
【００５０】  携帯デバイス用スタンド型スピーカー１の素材は、積層構造と中空構造を併せ持ち、音の流れを一方向のみに通行させることのできるものを使用することで効果が得られる。
【実施例１】
【００５１】  図１〜２は、本発明の実施例１について説明したものである。【００５２】  携帯デバイス用スタンド型スピーカー１は、上板２と下板３と、その間を複数の中芯４と仕切板５を交互に貼合することにより得られる中空構造および積層構造が必須であるが、段ボールのハニカム構造が好適である。中空構造のある積層構造はハニカム構造ともいう。一層または、複数層で構成されているハニカム構造でも可能である。既成の素材を利用することにより簡便な製作が可能となる。【００５３】  なお、本発明における「段ボール」とは、ＪＩＳＺ０１０４の定義によるものとする。【００５４】  また、本発明における「プラダン」とは、プラスチック製段ボールのことであり、一般に「プラダン（プラ段）」「ダンプラ（段プラ）」と称されるものを指すものとする。【００５５】  また、本発明における仕切板は、段ボールの「ライナー」に相当し、上板は「表ライナー」、下板は「裏ライナー」に相当する。【００５６】  また、本発明における中芯は、段ボールの「フルート」、すなわち仕切板（ライナー）と仕切板（ライナー）の間にある波状の中芯原紙に相当する。【００５７】  素材とする段ボールは、強化段ボールが好ましい。
素材とする段ボールは、プラダンを用いてもよい。
素材とする段ボールは、ポリカーボネート製を用いてもよい。
素材とする段ボールは、いかなる間隔のフルートを有する段ボールを用いてもよい。
素材とする段ボールは、いかなる間隔のフルートを有するプラダンを用いてもよい。
素材とする段ボールは、いかなる間隔のフルートを有するポリカーボネート製段ボールを用いてもよい。【００５８】  携帯デバイス７を載置するためのデバイス収納部６は、実施例１における図１のように、携帯デバイス７をその操作部１３を操作可能に露出させて載置し、かつその側面にあるスピーカー９が本体１の中空構造の方向１０と垂直に対面して接する位置に載置する形状にくり抜かれている。【００５９】  携帯デバイス７を着脱しやすくするためのデバイス取出し窪み８は、携帯デバイス７のスピーカー９が本体１のハニカム構造と接する位置を除いて、どこに設けてもよい。【００６０】  携帯デバイス７の音を拡散させるための放音口１１は、本体１の表面に、位置は携帯デバイス７のスピーカー９が本体１のハニカム構造と積層構造に接する側に、向きは本体１の表ライナー２と中芯４と中ライナー５と裏ライナー３の積層の方向１２に設けられ、深さは携帯デバイス７のスピーカー９が中空構造の方向１０と接するまで貫通している。形状はどのようなものでもよい。個数は１個以上複数個である。【００６１】  本体１は、Ａフルート段ボールを３層に貼合した強化段ボールにより構成してもよい。【００６２】  または、強化段ボールに代えて１層または複数層の段ボールを貼合してもよい。【００６３】  裏ライナー３は、図３および図４に示すように硬化段ボールを貼合してもよい。【００６４】  また、裏ライナー３は、図５および図６に示すように段ボール１層または複数層を貼合してもよい。
【実施例２】
【００６５】  図７〜９に示す本発明を実施するための異なる形態につき説明する。なお、これらの本発明を実施するための異なる形態の説明に当たって、本発明を実施するための第一の形態と同一構造部分には同一符号を付して重複する説明を省略する。【００６６】  実施例２において実施例１と主に異なる部分は、携帯デバイス７を載置するためのデバイス収納部６を、（中空構造の方向１０ではなく）積層の方向１２に設けた点で、このように形成した携帯デバイス用スタンド型スピーカー１にしても、本発明を実施するための形態と同様な作用効果が得られるとともに、小型化ができる。【００６７】  また、デバイス収納部６の前面の一部分に、デバイス操作部１３を露出させ操作しやすくするための窪み１４を備え、これにより操作性が確保できる。【００６８】  携帯デバイス７の操作をしやすくするための窪み１４は、携帯デバイス７を立設方向に載置した際、その操作部１３が位置する箇所に面して設けられる。【００６９】  本体１は、Ａフルート段ボールを３層に貼合した強化段ボールにより構成してもよい。【００７０】  または、強化段ボールに代えて１層または複数層の段ボールを貼合してもよい。【００７１】  下板３は、硬化段ボールを貼合してもよい。【００７２】  また、下板３は、段ボール１層または複数層を貼合してもよい。【００７３】  デバイス収納部６は、実施例２における図９のように、携帯デバイス７を立設方向に、かつ携帯デバイス７のスピーカー９が中空構造と面する位置に載置できる形状である。深さは携帯デバイス７の立設を確保できる深さが好ましい。【００７４】  携帯デバイス７の音を拡散させるための放音口１１は、本体１の表面に、位置は携帯デバイス７を載置した際に前面になる側に、向きは本体１の表ライナー２と中芯４と中ライナー５と裏ライナー３の積層の方向１２に設けられ、深さは携帯デバイス７のスピーカー９が中空構造の方向１０と接するまで貫通している。形状はどのようなものでもよい。個数は１個以上複数個である。
【実施例３】
【００７５】  実施例１または実施例２において、携帯デバイスを安定して載置することができれば、本体１の輪郭はどのような形状でも同様の効果が得られる。例えば、図１０および図１１に示すように、外形形状を曲線で形成するなどである。
【実施例４】
【００７６】  実施例１、実施例２または実施例３において、段ボールのフルート構造と同様の中空かつ積層構造を構成すれば、段ボール以外の素材で本体１を作成することができる。例えば、紙、ガラス、プラスチック、木、石などである。
【実施例５】
【００７７】  実施例１、実施例２または実施例３において、下板３は、段ボール以外の素材で作成することができる。例えば、紙、ガラス、プラスチック、木、石などである。
【測定結果】
【００７８】  本発明の効果を実証するために、無音環境において１／３オクターブバンドの中心周波数帯域におけるホワイトノイズおよびピンクノイズの増幅効果についてデータを採取した。その測定結果について、ホワイトノイズを図１２、ピンクノイズを図１３にグラフで示す。測定結果から得られた増幅率について、ホワイトノイズを図１４、ピンクノイズを図１５にグラフで示す。
【００７９】  測定の結果、１２５ヘルツから２０，０００ヘルツの中心周波数帯域におけるホワイトノイズおよびピンクノイズについて、無載置に比べて音の増幅が見られた。
【００８０】  １２５ヘルツにおいて、無載置に比べてピンクノイズで実施例２は１デシベルの増幅が見られた。
【００８１】  １６０ヘルツにおいて、無載置に比べてホワイトノイズで実施例２は１デシベル、ピンクノイズで実施例２は１デシベルの増幅が見られた。
【００８２】  ２００ヘルツにおいて、無載置に比べてホワイトノイズで実施例１は４デシベル、実施例２は２デシベル、ピンクノイズで実施例１は１デシベル、実施例２は２デシベルの増幅が見られた。
【００８３】  ２５０ヘルツにおいて、無載置に比べてホワイトノイズで実施例１は５デシベル、ピンクノイズで実施例１は２デシベル、実施例２は４デシベルの増幅が見られた。
【００８４】  ３１５ヘルツにおいて、無載置に比べてホワイトノイズで実施例１は３デシベル、実施例２は２デシベル、ピンクノイズで実施例２は２デシベルの増幅が見られた。
【００８５】  ４００ヘルツにおいて、無載置に比べてホワイトノイズで実施例１は１デシベル、実施例２は３デシベル、ピンクノイズで実施例２は２デシベルの増幅が見られた。
【００８６】  ５００ヘルツにおいて、無載置に比べてホワイトノイズで実施例１は１デシベル、実施例２は５デシベル、ピンクノイズで実施例２は３デシベルの増幅が見られた。
【００８７】  ６３０ヘルツにおいて、無載置に比べてホワイトノイズで実施例１は２デシベル、実施例２は５デシベル、ピンクノイズで実施例１は１デシベル、実施例２は３デシベルの増幅が見られた。
【００８８】  ８００ヘルツにおいて、無載置に比べてホワイトノイズで実施例１は２デシベル、実施例２は６デシベル、ピンクノイズで実施例１は２デシベル、実施例２は５デシベルの増幅が見られた。
【００８９】  １，０００ヘルツにおいて、無載置に比べてホワイトノイズで実施例１は５デシベル、実施例２は７デシベル、ピンクノイズで実施例１は５デシベル、実施例２は４デシベルの増幅が見られた。
【００９０】  １，２５０ヘルツにおいて、無載置に比べてホワイトノイズで実施例１は７デシベル、実施例２は８デシベル、ピンクノイズで実施例１は７デシベル、実施例２は６デシベルの増幅が見られた。
【００９１】  １，６００ヘルツにおいて、無載置に比べてホワイトノイズで実施例１は１１デシベル、実施例２は１０デシベル、ピンクノイズで実施例１は８デシベル、実施例２は６デシベルの増幅が見られた。
【００９２】  ２，０００ヘルツにおいて、無載置に比べてホワイトノイズで実施例１は１１デシベル、実施例２は１３デシベル、ピンクノイズで実施例１は９デシベル、実施例２は１０デシベルの増幅が見られた。
【００９３】  ２，５００ヘルツにおいて、無載置に比べてホワイトノイズで実施例１は１２デシベル、実施例２は１５デシベル、ピンクノイズで実施例１は１３デシベル、実施例２は１１デシベルの増幅が見られた。
【００９４】  ３，１５０ヘルツにおいて、無載置に比べてホワイトノイズで実施例１は１３デシベル、実施例２は１４デシベル、ピンクノイズで実施例１は１３デシベル、実施例２は１１デシベルの増幅が見られた。
【００９５】  ４，０００ヘルツにおいて、無載置に比べてホワイトノイズで実施例１は９デシベル、実施例２は１３デシベル、ピンクノイズで実施例１は９デシベル、実施例２は１０デシベルの増幅が見られた。
【００９６】  ５，０００ヘルツにおいて、無載置に比べてホワイトノイズで実施例１は４デシベル、実施例２は１５デシベル、ピンクノイズで実施例１は４デシベル、実施例２は１１デシベルの増幅が見られた。
【００９７】  ６，３００ヘルツにおいて、無載置に比べてホワイトノイズで実施例１は７デシベル、実施例２は１６デシベル、ピンクノイズで実施例１は８デシベル、実施例２は１４デシベルの増幅が見られた。
【００９８】  ８，０００ヘルツにおいて、無載置に比べてホワイトノイズで実施例１は６デシベル、実施例２は１０デシベル、ピンクノイズで実施例１は５デシベル、実施例２は１０デシベルの増幅が見られた。
【００９９】  １０，０００ヘルツにおいて、無載置に比べてホワイトノイズで実施例１は９デシベル、実施例２は９デシベル、ピンクノイズで実施例１は１２デシベル、実施例２は９デシベルの増幅が見られた。
【０１００】  １２，５００ヘルツにおいて、無載置に比べてホワイトノイズで実施例１は２デシベル、実施例２は１２デシベル、ピンクノイズで実施例１は３デシベル、実施例２は１１デシベルの増幅が見られた。
【０１０１】  １６，０００ヘルツにおいて、無載置に比べてホワイトノイズで実施例１は２デシベル、実施例２は８デシベル、ピンクノイズで実施例２は１０デシベルの増幅が見られた。
【０１０２】  ２０，０００ヘルツにおいて、無載置に比べてホワイトノイズで実施例２は９デシベル、ピンクノイズで実施例２は９デシベルの増幅が見られた。
【考察】
【０１０３】  図１２〜図１５から明らかなように、携帯デバイスを本発明の携帯デバイス用スタンド型スピーカーに載置することにより、携帯デバイスのスピーカーからの音が増幅するという実験結果が得られた。人間の可聴音域（１００ヘルツ〜２，０００ヘルツ）において音の増幅がみられ、官能体感としても得られることから、本発明の携帯デバイス用スタンド型スピーカーは汎用性が高いと考える。
【符号の説明】
【０１０４】  １  携帯デバイス用スタンド型スピーカー（本体）
２  上板（表ライナー）
３  下板（裏ライナー）
４  中芯（フルート）
５  仕切板（中ライナー）
６  デバイス収納部
７  携帯デバイス
８  デバイス取出し窪み
９  デバイスのスピーカー
１０  中空構造の方向
１１  放音口
１２  積層の方向
１３  デバイス操作部
１４  デバイスの操作のための窪み
【要約】
【課題】  ハニカム構造の効果を利用することで電源の供給を得ることなく音の増幅と拡張を可能とし、携行に適した平板な形状を有する携帯デバイス用スタンド型スピーカーを提供する。
【解決手段】  上板２と下板３との間を複数の中芯４と仕切板５とで交互に仕切ることにより形成されたハニカム構造を有する平板な形状からなる本体１に、携帯デバイス７を安定させて載置するための収納部６を設け、載置した携帯デバイス７からの音を本体１のハニカム構造を通行させることにより、通気性・通風性により増幅させ、振動伝導性により共鳴させることにより、電源の供給を受けることなく機能することができる。
【選択図】図１【図１】
0005854413.tif 000002
【図２】
0005854413.tif 000003
【図３】
0005854413.tif 000004
【図４】
0005854413.tif 000005
【図５】
0005854413.tif 000006
【図６】
0005854413.tif 000007
【図７】
0005854413.tif 000008
【図８】
0005854413.tif 000009
【図９】
0005854413.tif 000010
【図１０】
0005854413.tif 000011
【図１１】
0005854413.tif 000012
【図１２】
0005854413.tif 000013
【図１３】
0005854413.tif 000014
【図１４】
0005854413.tif 000015
【図１５】
0005854413.tif 000016